(57)【要約】【課題】プリンタードライバーに対するデフォルト設定情報の設定操作の手間を軽減することが可能な情報処理装置、設定方法、及び設定プログラムを提供すること。【解決手段】取得処理部１５１は、第１プリンタードライバーのデフォルト設定情報を取得する。選択処理部１５２は、取得処理部１５１により取得される前記第１プリンタードライバーのデフォルト設定情報に含まれる複数の設定項目の中からユーザー操作に応じて一又は複数の移行対象項目を選択する。設定処理部１５３は、選択処理部１５２により選択される前記移行対象項目の設定値を、前記第１プリンタードライバーとは異なる第２プリンタードライバーのデフォルト設定情報として設定する。【選択図】図４
2020027513.tif 000002
【特許請求の範囲】
【請求項１】
第１プリンタードライバーのデフォルト設定情報を取得する取得処理部と、
前記取得処理部により取得される前記第１プリンタードライバーのデフォルト設定情報に含まれる複数の設定項目の中からユーザー操作に応じて一又は複数の移行対象項目を選択する選択処理部と、
前記選択処理部により選択される前記移行対象項目の設定値を、前記第１プリンタードライバーとは異なる第２プリンタードライバーのデフォルト設定情報として設定する設定処理部と、
を備える情報処理装置。
【請求項２】
前記第１プリンタードライバーは、自装置にインストールされているプリンタードライバーである、
請求項１に記載の情報処理装置。
【請求項３】
前記第１プリンタードライバーは、他の情報処理装置にインストールされているプリンタードライバーであり、
前記取得処理部は、前記第１プリンタードライバーのデフォルト設定情報を、前記他の情報処理装置又は前記第１プリンタードライバーのデフォルト設定情報を記憶しているサーバー装置から受信する、
請求項１に記載の情報処理装置。
【請求項４】
前記第１プリンタードライバーのデフォルト設定情報に含まれる設定項目各々には、設定値の共有が許可されているか否かを示す共有許否フラグが関連付けられており、
前記取得処理部は、前記第１プリンタードライバーのデフォルト設定情報に含まれる複数の設定項目のうち前記共有許否フラグが共有許可を示している設定項目の設定値を、前記他の情報処理装置又は前記サーバー装置から受信する、
請求項３に記載の情報処理装置。
【請求項５】
前記第１プリンタードライバーのデフォルト設定情報に含まれる前記設定項目各々を、前記第２プリンタードライバーのデフォルト設定情報として設定可能か否かを判別可能な表示態様で表示部に表示させる表示処理部を更に備える、
請求項１〜４のいずれかに記載の情報処理装置。
【請求項６】
前記第２プリンタードライバーのデフォルト設定情報に含まれる複数の設定項目のうち、前記第１プリンタードライバーのデフォルト設定情報には含まれない設定項目に関する情報を表示部に表示させる表示処理部を更に備える、
請求項１〜５のいずれかに記載の情報処理装置。
【請求項７】
前記第１プリンタードライバーは、第１メーカーのプリンタードライバーであり、
前記第２プリンタードライバーは、前記第１メーカーとは異なる第２メーカーのプリンタードライバーである、
請求項１〜６のいずれかに記載の情報処理装置。
【請求項８】
第１プリンタードライバーのデフォルト設定情報を取得する取得ステップと、
前記取得ステップで取得される前記第１プリンタードライバーのデフォルト設定情報に含まれる複数の設定項目の中からユーザー操作に応じて一又は複数の移行対象項目を選択する選択ステップと、
前記選択ステップで選択される前記移行対象項目の設定値を、前記第１プリンタードライバーとは異なる第２プリンタードライバーのデフォルト設定情報として設定する設定ステップと、
を含む設定方法。
【請求項９】
一又は複数のプロセッサーに、
第１プリンタードライバーのデフォルト設定情報を取得する取得ステップと、
前記取得ステップで取得される前記第１プリンタードライバーのデフォルト設定情報に含まれる複数の設定項目の中からユーザー操作に応じて一又は複数の移行対象項目を選択する選択ステップと、
前記選択ステップで選択される前記移行対象項目の設定値を、前記第１プリンタードライバーとは異なる第２プリンタードライバーのデフォルト設定情報として設定する設定ステップと、
を実行させるための設定プログラム。
【発明の詳細な説明】
【技術分野】
【０００１】
本発明は、情報処理装置、設定方法、及び設定プログラムに関する。
【背景技術】
【０００２】
一般に、情報処理装置にインストールされたプリンタードライバーは、印刷設定画面を通じて印刷枚数、用紙サイズなどの各種の設定項目についての設定操作を受け付けて、これらの設定項目の設定値を例えばＤＥＶＭＯＤＥ構造体として記憶部に記憶させることができる（例えば、特許文献１参照）。
【先行技術文献】
【特許文献】
【０００３】
【特許文献１】特開２０１１−５３７５４号公報
【発明の概要】
【発明が解決しようとする課題】
【０００４】
ところで、ＤＥＶＭＯＤＥ構造体に含まれる各種の設定項目の設定値が、プリンタードライバーのデフォルト設定情報として用いられることがある。この場合、プリンタードライバーの実行が開始されると、ＤＥＶＭＯＤＥ構造体に含まれている各種の設定項目の設定値が反映された状態で印刷設定画面が表示される。
【０００５】
ＤＥＶＭＯＤＥ構造体は、プリンタードライバーごとに個別に生成されて記憶部に記憶される。したがって、複数のプリンタードライバーに対して所望のデフォルト設定情報を設定したい場合、ユーザーは、プリンタードライバーごとに個別に印刷設定画面を通じて設定操作を行う必要がある。
【０００６】
本発明の目的は、プリンタードライバーに対するデフォルト設定情報の設定操作の手間を軽減することが可能な情報処理装置、設定方法、及び設定プログラムを提供することにある。
【課題を解決するための手段】
【０００７】
本発明の一の局面に係る情報処理装置は、取得処理部と、選択処理部と、設定処理部とを備える。前記取得処理部は、第１プリンタードライバーのデフォルト設定情報を取得する。前記選択処理部は、前記取得処理部により取得される前記第１プリンタードライバーのデフォルト設定情報に含まれる複数の設定項目の中からユーザー操作に応じて一又は複数の移行対象項目を選択する。前記設定処理部は、前記選択処理部により選択される前記移行対象項目の設定値を、前記第１プリンタードライバーとは異なる第２プリンタードライバーのデフォルト設定情報として設定する。
【０００８】
本発明の一の局面に係る設定方法は、取得ステップと、選択ステップと、設定ステップとを含む。前記取得ステップでは、第１プリンタードライバーのデフォルト設定情報が取得される。前記選択ステップでは、前記取得ステップで取得される前記第１プリンタードライバーのデフォルト設定情報に含まれる複数の設定項目の中からユーザー操作に応じて一又は複数の移行対象項目が選択される。前記設定ステップでは、前記選択ステップで選択される前記移行対象項目の設定値が、前記第１プリンタードライバーとは異なる第２プリンタードライバーのデフォルト設定情報として設定される。
【０００９】
本発明の一の局面に係る設定プログラムは、一又は複数のプロセッサーに、取得ステップと、選択ステップと、設定ステップとを実行させる。前記取得ステップでは、第１プリンタードライバーのデフォルト設定情報が取得される。前記選択ステップでは、前記取得ステップで取得される前記第１プリンタードライバーのデフォルト設定情報に含まれる複数の設定項目の中からユーザー操作に応じて一又は複数の移行対象項目が選択される。前記設定ステップでは、前記選択ステップで選択される前記移行対象項目の設定値が、前記第１プリンタードライバーとは異なる第２プリンタードライバーのデフォルト設定情報として設定される。
【発明の効果】
【００１０】
本発明によれば、プリンタードライバーに対するデフォルト設定情報の設定操作の手間を軽減することが可能な情報処理装置、設定方法、及び設定プログラムが提供される。
【図面の簡単な説明】
【００１１】
【図１】図１は、本発明の実施形態に係る画像形成システムの構成を示す図である。
【図２】図２は、本発明の実施形態に係る情報処理装置のシステム構成を示すブロック図である。
【図３】図３は、本発明の実施形態に係る情報処理装置で用いられるＤＥＶＭＯＤＥ構造体の一例を示す図である。
【図４】図４は、本発明の実施形態に係る情報処理装置で実行される設定処理の手順の一例を示すフローチャートである。
【図５】図５は、本発明の実施形態に係る情報処理装置で用いられる移行設定画面の一例を示す図である。
【図６】図６は、本発明の実施形態に係る情報処理装置で用いられる移行設定画面の一例を示す図である。
【図７】図７は、本発明の実施形態に係る情報処理装置で実行される保存処理の手順の一例を示すフローチャートである。
【図８】図８は、本発明の実施形態に係る情報処理装置で用いられる保存設定画面の一例を示す図である。
【図９】図９は、本発明の実施形態に係る情報処理装置で用いられる保存情報の一例を示す図である。
【図１０】図１０は、本発明の実施形態に係る情報処理装置で用いられる移行設定画面の一例を示す図である。
【発明を実施するための形態】
【００１２】
以下添付図面を参照しながら、本発明の実施形態について説明し、本発明の理解に供する。なお、以下の実施形態は、本発明を具体化した一例であって、本発明の技術的範囲を限定するものではない。
【００１３】
［画像形成システム］
図１に示されるように、本発明の実施形態に係る画像形成システム１００は、複数の情報処理装置１（具体的には、情報処理装置１Ａ及び情報処理装置１Ｂ）と、複数の画像形成装置２（具体的には、画像形成装置２Ａ及び画像形成装置２Ｂ）と、サーバー装置３とを備える。情報処理装置１各々と画像形成装置２各々とサーバー装置３とは、電話回線、インターネット、ＬＡＮなどの通信網Ｎ１を介して通信可能である。
【００１４】
［画像形成装置］
画像形成装置２は、操作表示部、画像形成部、通信Ｉ／Ｆ、記憶部、及び制御部などを備える。具体的に、画像形成装置２Ａは、プリンターであり、画像形成装置２Ｂは、プリンター機能、スキャナー機能、コピー機能、及びファクシミリ機能などを有する複合機である。
【００１５】
前記操作表示部は、情報を表示する液晶ディスプレーなどの表示部と、ユーザー操作を受け付けるタッチパネル及び操作ボタンなどの操作部とを備える。前記画像形成部は、電子写真方式又はインクジェット方式で画像データに基づく印刷処理を実行することが可能であり、前記画像データに基づいてシート上に画像を形成する。例えば、前記画像形成部が電子写真方式の画像形成部である場合、前記画像形成部は感光体ドラム、帯電器、露光装置、現像装置、転写装置、及び定着装置などを備える。前記通信Ｉ／Ｆは、外部の通信装置との間で有線又は無線によるデータ通信を実行可能な通信インターフェイスである。前記記憶部は、ハードディスク又はＥＥＰＲＯＭ（登録商標）などの不揮発性の記憶部である。前記制御部は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００１６】
［サーバー装置］
サーバー装置３は、ファイルサーバーとしての機能を有する情報処理装置である。
【００１７】
［情報処理装置］
図２に示すように、情報処理装置１は、操作部１１、表示部１２、通信Ｉ／Ｆ１３、記憶部１４、及び制御部１５などを備える。情報処理装置１は、例えば、ノートパソコン、デスクトップパソコン、スマートフォンなどの、通信機能を有する情報処理装置である。画像形成装置２Ａに対応するプリンタードライバーを情報処理装置１にインストールすることによって、情報処理装置１は、画像形成装置２Ａを制御する印刷ホスト装置として機能することが可能である。また、画像形成装置２Ｂに対応するプリンタードライバーを情報処理装置１にインストールすることによって、情報処理装置１は、画像形成装置２Ｂを制御する印刷ホスト装置として機能することが可能である。
【００１８】
操作部１１は、ユーザー操作に応じて印刷要求等の指示又は各種情報を入力するキーボード、マウス、タッチパッド又はタッチパネルなどを含んでいる。
【００１９】
表示部１２は、情報を表示する液晶ディスプレーなどの表示部である。
【００２０】
通信Ｉ／Ｆ１３は、外部の通信装置との間で有線又は無線によるデータ通信を実行可能な通信インターフェイスである。例えば、通信Ｉ／Ｆ１３は、通信網Ｎ１を経由して、画像形成装置２との間で通信を行う。
【００２１】
記憶部１４は、ハードディスクなどの不揮発性の記憶部である。記憶部１４には、制御部１５によって実行される各種の制御プログラムが記憶される。制御部１５によって実行される制御プログラムには、通信Ｉ／Ｆ１３を介して画像形成装置２を制御するためのプリンタードライバー、後述の設定処理（図４参照）を制御部１５に実行させるための設定プログラムなどが含まれる。なお、前記設定プログラムは、ＯＳ、プリンタードライバーなどの他のプログラムに組み込まれていてもよい。
【００２２】
制御部１５は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２３】
一般に、情報処理装置にインストールされたプリンタードライバーは、印刷設定画面を通じて印刷枚数、用紙サイズなどの各種の設定項目についての設定操作を受け付けて、これらの設定項目の設定値を例えばＤＥＶＭＯＤＥ構造体として記憶部に記憶させることができる。ところで、ＤＥＶＭＯＤＥ構造体に含まれる各種の設定項目の設定値が、プリンタードライバーのデフォルト設定情報として用いられることがある。この場合、プリンタードライバーの実行が開始されると、ＤＥＶＭＯＤＥ構造体に含まれている各種の設定項目の設定値が反映された状態で印刷設定画面が表示される。ＤＥＶＭＯＤＥ構造体は、プリンタードライバーごとに個別に生成されて記憶部に記憶される。したがって、複数のプリンタードライバーに対して所望のデフォルト設定情報を設定したい場合、ユーザーは、プリンタードライバーごとに個別に印刷設定画面を通じて設定操作を行う必要がある。これに対して、本実施形態に係る情報処理装置１によれば、プリンタードライバーに対するデフォルト設定情報の設定操作の手間を軽減することが可能である。
【００２４】
具体的に、制御部１５は、取得処理部１５１、選択処理部１５２、設定処理部１５３、及び表示処理部１５４を含む。なお、制御部１５は、前記制御プログラムに従って各種の処理を実行することによりこれらの各処理部として機能する。また、制御部１５は、これらの各処理部の一部又は複数の処理機能を実現する電子回路を備えるものであってもよい。
【００２５】
取得処理部１５１は、第１プリンタードライバーのデフォルト設定情報を取得する。前記第１プリンタードライバーは、例えば、自装置にインストールされているプリンタードライバーである。記憶部１４には、自装置にインストールされているプリンタードライバーのデフォルト設定情報がＤＥＶＭＯＤＥ構造体Ｄ１（図３参照）として記憶されている。取得処理部１５１は、前記第１プリンタードライバーに対応するＤＥＶＭＯＤＥ構造体Ｄ１を記憶部１４から読み出すことによって、前記第１プリンタードライバーのデフォルト設定情報を取得することができる。
【００２６】
前記デフォルト設定情報は、プリンタードライバーが起動した時点における各種の設定項目の設定値を示す情報である。例えば、プリンタードライバーの実行が開始されると、ＤＥＶＭＯＤＥ構造体Ｄ１に含まれている各種の設定項目の設定値が反映された状態で印刷設定画面（不図示）が表示される。前記デフォルト設定情報は、前記印刷設定画面に対するユーザー操作に応じて更新され得る。
【００２７】
図３に示されるように、ＤＥＶＭＯＤＥ構造体Ｄ１には、各種の設定項目と、その設定値とが含まれている。ＤＥＶＭＯＤＥ構造体Ｄ１は、パブリック部とプライベート部とで構成される。パブリック部には、画像形成処理において一般的に用いられる設定項目（例えば、「部数」、「用紙サイズ」、「両面」、「カラーモード」など）が含まれる。プライベート部には、プリンタードライバーのメーカーごとに固有の設定項目（例えば、「ジョブ保存」、「セキュリティーウォーターマーク」、「エコプリント」など）が含まれる。
【００２８】
なお、前記第１プリンタードライバーは、他の情報処理装置１にインストールされているプリンタードライバーであってもよい。この場合、取得処理部１５１（例えば、情報処理装置１Ａの取得処理部１５１）は、前記第１プリンタードライバーのデフォルト設定情報を、前記他の情報処理装置１（例えば、情報処理装置１Ｂ）から受信してもよい。なお、前記第１プリンタードライバーのデフォルト設定情報が後述の保存情報Ｄ２（図９参照）としてサーバー装置３に保存されている場合には、取得処理部１５１は、前記第１プリンタードライバーのデフォルト設定情報をサーバー装置３から受信してもよい。
【００２９】
また、後述の保存情報Ｄ２（図９参照）のように、前記第１プリンタードライバーのデフォルト設定情報に含まれる設定項目各々に、設定値の共有が許可されているか否かを示す共有許否フラグが関連付けられている場合、取得処理部１５１は、前記第１プリンタードライバーのデフォルト設定情報に含まれる複数の設定項目のうち前記共有許否フラグが共有許可を示している設定項目の設定値を、前記他の情報処理装置又は前記サーバー装置から受信してもよい。
【００３０】
選択処理部１５２は、取得処理部１５１により取得される前記第１プリンタードライバーのデフォルト設定情報に含まれる複数の設定項目の中からユーザー操作に応じて一又は複数の設定項目を移行対象項目として選択する。例えば、選択処理部１５２は、後述の移行設定画面Ｐ１（図５参照）に含まれるチェックボックスＣ１に対するユーザー操作に応じて前記移行対象項目を選択する。
【００３１】
設定処理部１５３は、選択処理部１５２により選択される前記移行対象項目の設定値（すなわち、前記第１プリンタードライバーの設定値）を、前記第１プリンタードライバーとは異なる第２プリンタードライバーのデフォルト設定情報として設定する。例えば、設定処理部１５３は、選択処理部１５２により選択される前記移行対象項目の設定値を、前記第２プリンタードライバーに対応するＤＥＶＭＯＤＥ構造体Ｄ１として記憶部１４に保存する。なお、前記第２プリンタードライバーは、情報処理装置１にインストールされているプリンタードライバーである。
【００３２】
なお、前記第１プリンタードライバーと前記第２プリンタードライバーとは、同一のメーカー（画像形成装置２のメーカー）のプリンタードライバーであってもよいし、異なるメーカーのプリンタードライバーであってもよい。例えば、前記第１プリンタードライバーが、第１メーカーのプリンタードライバーであり、前記第２プリンタードライバーが、前記第１メーカーとは異なる第２メーカーのプリンタードライバーであってもよい。
【００３３】
なお、前記第１プリンタードライバーと前記第２プリンタードライバーとが異なるメーカーのプリンタードライバーである場合、ＤＥＶＭＯＤＥ構造体Ｄ１におけるプライベート部に含まれる設定項目が異なるのが一般的である。この場合、選択処理部１５２は、前記第１プリンタードライバーに対応するＤＥＶＭＯＤＥ構造体Ｄ１におけるパブリック部に含まれる設定項目のみを前記移行対象項目として選択してもよい。
【００３４】
表示処理部１５４は、前記第１プリンタードライバーのデフォルト設定情報に含まれる前記設定項目各々を、前記第２プリンタードライバーのデフォルト設定情報として設定可能か否かを判別可能な表示態様で表示部１２に表示させてもよい。例えば、表示処理部１５４は、図６に示される移行設定画面Ｐ１を表示部１２に表示させてもよい。図６に示される移行設定画面Ｐ１では、「両面」の設定項目に対応するチェックボックスＣ１に「×」が表示されている。これにより、ユーザーは、「両面」の設定項目を移行対象項目として選択できないことを容易に把握することができる。
【００３５】
また、表示処理部１５４は、前記第２プリンタードライバーのデフォルト設定情報に含まれる複数の設定項目のうち、前記第１プリンタードライバーのデフォルト設定情報には含まれない設定項目に関する情報を表示部１２に表示させてもよい。例えば、表示処理部１５４は、図６に示される移行設定画面Ｐ１を表示部１２に表示させてもよい。図６に示される移行設定画面Ｐ１では、新項目として「エコプリント」の設定項目が表示されている。これにより、ユーザーは、前記第２プリンタードライバーのデフォルト設定情報に、前記第１プリンタードライバー（図６の例では「プリンタードライバーＡ」）のデフォルト設定情報には含まれない「エコプリント」の設定項目が存在することを容易に把握することができる。
【００３６】
［設定処理］
次に、図４を参照しつつ、制御部１５によって実行される設定処理の手順の一例について説明する。ここで、ステップＳ１１，Ｓ１２，・・・は、制御部１５により実行される処理手順（ステップ）の番号を表している。前記設定処理は、例えば、情報処理装置１への前記第２プリンタードライバーのインストール処理の途中又は完了時に開始される。なお、他の実施形態では、ユーザー操作に応じて任意のタイミングで前記設定処理が開始されてもよい。例えば、前記第２プリンタードライバーの印刷設定画面に含まれる特定の操作キー（すなわち、前記設定処理を開始するための操作キー）が操作されたことに応じて、前記設定処理が開始されてもよい。
【００３７】
＜ステップＳ１１＞
まず、ステップＳ１１において、制御部１５は、移行設定画面Ｐ１を表示部１２に表示させる。
【００３８】
なお、図５に示される移行設定画面Ｐ１には、ドロップダウンリストＡ１、複数の設定項目、複数のチェックボックスＣ１、及び操作キーＫ１が含まれるが、当該ステップＳ１１において移行設定画面Ｐ１が表示された直後は、設定項目及びチェックボックスＣ１はまだ表示されない。
【００３９】
ドロップダウンリストＡ１は、移行元ドライバー（すなわち、前記第１プリンタードライバー）の選択操作を受け付けるためのものである。具体的に、制御部１５は、自装置にインストールされているプリンタードライバーを検出し、検出された一又は複数のプリンタードライバーの中から移行元ドライバーを、ドロップダウンリストＡ１を通じてユーザーに選択させる。なお、他の実施形態では、制御部１５は、自装置（例えば、情報処理装置１Ａ）にインストールされているプリンタードライバーに加えて、他装置（例えば、情報処理装置１Ｂ）にインストールされているプリンタードライバーを検出してもよい。そして、制御部１５は、自装置又は他装置にインストールされているプリンタードライバーの中から移行元ドライバーをユーザーに選択させてもよい。
【００４０】
＜ステップＳ１２＞
ステップＳ１２において、制御部１５は、ユーザー操作に応じて移行元ドライバーを選択する。具体的に、制御部１５は、ドロップダウンリストＡ１に対するユーザー操作に応じて移行元ドライバーを選択する。図５に示される移行設定画面Ｐ１では、プリンタードライバーＡが移行元ドライバーとして選択されている。
【００４１】
＜ステップＳ１３＞
ステップＳ１３において、制御部１５は、前記ステップＳ１２で移行元ドライバーとして選択されたプリンタードライバーのデフォルト設定情報を取得する。例えば、前記移行元ドライバーが自装置にインストールされているプリンタードライバーである場合、制御部１５は、前記移行元ドライバーに対応するＤＥＶＭＯＤＥ構造体Ｄ１を前記デフォルト設定情報として記憶部１４から読み出す。一方、前記移行元ドライバーが他装置にインストールされているプリンタードライバーである場合、制御部１５は、前記移行元ドライバーに対応するＤＥＶＭＯＤＥ構造体Ｄ１を前記デフォルト設定情報として他装置から受信する。なお、前記移行元ドライバーに対応する保存情報Ｄ２がサーバー装置３に保存されている場合、制御部１５は、前記移行元ドライバーに対応する保存情報Ｄ２を前記デフォルト設定情報としてサーバー装置３から受信してもよい。当該ステップＳ１３の処理は、制御部１５の取得処理部１５１により実行される。当該ステップＳ１３は、本発明の取得ステップの一例である。
【００４２】
＜ステップＳ１４＞
ステップＳ１４において、制御部１５は、前記ステップＳ１３で取得されたデフォルト設定情報に含まれる一又は複数の設定項目Ｂ１を、図５に示される移行設定画面Ｐ１のように、表示部１２に表示させる。当該ステップＳ１４の処理は、制御部１５の表示処理部１５４により実行される。
【００４３】
なお、前記第１プリンタードライバーと前記第２プリンタードライバーとが異なるメーカーのプリンタードライバーである場合、制御部１５は、前記ステップＳ１３で取得されたＤＥＶＭＯＤＥ構造体Ｄ１のパブリック部に含まれる設定項目のみを表示部１２に表示させてもよい。一方、前記第１プリンタードライバーと前記第２プリンタードライバーとが同じメーカーのプリンタードライバーである場合、制御部１５は、前記ステップＳ１３で取得されたＤＥＶＭＯＤＥ構造体Ｄ１のパブリック部に含まれる設定項目に加えてプライベート部に含まれる設定項目を表示部１２に表示させてもよい。
【００４４】
また、制御部１５は、図６に示される移行設定画面Ｐ１のように、前記第１プリンタードライバーのデフォルト設定情報に含まれる設定項目各々を、前記第２プリンタードライバーのデフォルト設定情報として設定可能か否かを判別可能な表示態様で表示部１２に表示させてもよい。
【００４５】
また、制御部１５は、図６に示される移行設定画面Ｐ１のように、前記第２プリンタードライバーのデフォルト設定情報に含まれる複数の設定項目のうち、前記第１プリンタードライバーのデフォルト設定情報には含まれない設定項目（すなわち、図６に示される「エコプリント」の設定項目）に関する情報を表示部１２に表示させてもよい。なお、前記情報は、例えば、前記設定項目の項目名であってもよいし、前記設定項目に関する説明文であってもよい。また、制御部１５は、前記設定項目に関する設定操作を受け付けてもよい。例えば、図６に示される「エコプリント」の設定項目に対応する操作キーＫ２が操作された場合、制御部１５は、「エコプリント」の設定項目の設定値を入力するための設定画面（不図示）を表示部１２に表示させて、ユーザーによる前記設定値の入力操作を受け付けてもよい。
【００４６】
＜ステップＳ１５＞
ステップＳ１５において、制御部１５は、前記ステップＳ１４で表示部１２に表示された一又は複数の設定項目の中からユーザー操作に応じて移行対象項目を選択する。具体的に、移行設定画面Ｐ１では設定項目ごとにチェックボックスＣ１が表示されており、制御部１５は、対応するチェックボックスＣ１にチェックが入れられている設定項目を移行対象項目として選択する。なお、初期状態では全てのチェックボックスＣ１にチェックが入れられた状態であり、ユーザーは、任意の設定項目に対応するチェックボックスＣ１を操作することによって、当該設定項目を移行対象項目から除外することができる。当該ステップＳ１５の処理は、制御部１５の選択処理部１５２により実行される。当該ステップＳ１５は、本発明の選択ステップの一例である。
【００４７】
＜ステップＳ１６＞
ステップＳ１６において、制御部１５は、前記ステップＳ１５で選択された移行対象項目の設定値（すなわち、前記第１プリンタードライバーの設定値）を、前記第２プリンタードライバーのデフォルト設定情報として保存する。具体的に、制御部１５は、移行設定画面Ｐ１に含まれる操作キーＫ１が操作されると、前記移行対象項目の設定値を含むＤＥＶＭＯＤＥ構造体Ｄ１を生成し、前記第２プリンタードライバーのデフォルト設定情報として記憶部１４に保存する。なお、前記第２プリンタードライバーに対応するＤＥＶＭＯＤＥ構造体Ｄ１が記憶部１４にすでに記憶されている場合には、当該ＤＥＶＭＯＤＥ構造体Ｄ１を更新する。当該ステップＳ１６の処理は、制御部１５の設定処理部１５３により実行される。当該ステップＳ１６は、本発明の設定ステップの一例である。
【００４８】
こうして、前記第１プリンタードライバーのデフォルト設定情報に基づいて前記第２プリンタードライバーのデフォルト設定情報が生成又は更新される。よって、ユーザーは、第２プリンタードライバーの印刷設定画面を通じてデフォルト設定情報の設定操作を行うことなしに、前記第１プリンタードライバーのデフォルト設定情報に基づいて前記第２プリンタードライバーのデフォルト設定情報を容易に設定することができる。
【００４９】
［保存処理］
次に、図７を参照しつつ、制御部１５によって実行される保存処理の手順の一例について説明する。前記保存処理は、図９に示されるような保存情報Ｄ２をサーバー装置３に保存するための処理である。ここで、ステップＳ２１，Ｓ２２，・・・は、制御部１５により実行される処理手順（ステップ）の番号を表している。前記保存処理は、例えば、ユーザー操作に応じて任意のタイミングで前記設定処理が開始される。例えば、プリンタードライバーの印刷設定画面に含まれる特定の操作キー（すなわち、前記保存処理を開始するための操作キー）が操作されたことに応じて、前記保存処理が開始されてもよい。以下では、前記第１プリンタードライバーの印刷設定画面に含まれる特定の操作キーが操作されたことに応じて前記保存処理が開始されたものとして説明する。
【００５０】
＜ステップＳ２１＞
まず、ステップＳ２１において、制御部１５は、前記第１プリンタードライバーのデフォルト設定情報を取得する。具体的に、制御部１５は、前記第１プリンタードライバーに対応するＤＥＶＭＯＤＥ構造体Ｄ１を記憶部１４から読み出す。
【００５１】
＜ステップＳ２２＞
ステップＳ２２において、制御部１５は、図８に示されるような保存設定画面Ｐ２を表示部１２に表示させる。保存設定画面Ｐ２には、前記ステップＳ２１で取得されたデフォルト設定情報に含まれる一又は複数の設定項目Ｂ１が表示される。
【００５２】
＜ステップＳ２３＞
ステップＳ２３において、制御部１５は、保存設定画面Ｐ２に表示されている設定項目Ｂ１ごとに、設定項目Ｂ１の設定値の共有を許可するか否かを設定する。具体的に、保存設定画面Ｐ２には、設定項目Ｂ１各々に対応するチェックボックスＣ２が含まれており、制御部１５は、チェックボックスＣ２に対するユーザー操作に応じて、設定項目Ｂ１ごとに共有許否を設定する。例えば、図８に示される保存設定画面Ｐ２では、「用紙サイズ」、「両面」、「カラーモード」、及び「セキュリティーウォーターマーク」の設定項目Ｂ１に対応するチェックボックスＣ２にチェックが入れられている。よって、「用紙サイズ」、「両面」、「カラーモード」、及び「セキュリティーウォーターマーク」の設定項目Ｂ１の設定値については、他のユーザーとの共有が許可される。一方、「部数」、及び「ジョブ保存」の設定項目Ｂ１に対応するチェックボックスＣ２にはチェックが入れられていない。よって、「部数」、及び「ジョブ保存」の設定項目Ｂ１の設定値については、他のユーザーとの共有が禁止される。
【００５３】
＜ステップＳ２４＞
ステップＳ２４において、制御部１５は、前記第１プリンタードライバーのデフォルト設定情報と、前記ステップＳ２３における設定結果とに基づいて、図９に示される保存情報Ｄ２をサーバー装置３に保存する。具体的に、制御部１５は、保存設定画面Ｐ２に含まれる操作キーＫ３が操作されると、図９に示される保存情報Ｄ２を生成して、サーバー装置３に送信する。
【００５４】
図９に示されるように、保存情報Ｄ２には、ドライバー名及びユーザー名の情報が含まれる。前記ドライバー名は、プリンタードライバーを識別するための識別情報として用いられる。前記ユーザー名は、ユーザーを識別するための識別情報として用いられる。また、保存情報Ｄ２には、前記第１プリンタードライバー（ここでは、ユーザーＡが使用する情報処理装置１ＡにインストールされているプリンタードライバーＡ）のデフォルト設定情報に含まれる一又は複数の設定項目Ｂ１の設定値と、設定項目Ｂ１ごとの共有許否を示す共有許否フラグとが含まれる。前記共有許否フラグ各々の値は、保存設定画面Ｐ２における対応するチェックボックスＣ２の状態に応じて設定される。
【００５５】
情報処理装置１からサーバー装置３に送信された保存情報Ｄ２は、サーバー装置３の記憶部に保存される。そして、前記保存処理は終了する。
【００５６】
前述したように、前記設定処理における前記ステップＳ１２では、制御部１５は、自装置にインストールされているプリンタードライバーに限らず、他装置にインストールされているプリンタードライバーを移行元ドライバーとして選択することが可能である。例えば、ユーザーＢが使用する情報処理装置１Ｂの制御部１５は、サーバー装置３に保存されている図９に示される保存情報Ｄ２に基づいて、ユーザーＡが使用する情報処理装置１ＡにインストールされているプリンタードライバーＡを、移行元ドライバーとして選択することが可能である（図１０参照）。この場合、情報処理装置１Ｂの制御部１５は、図１０に示される移行設定画面Ｐ１のように、保存情報Ｄ２に含まれる一又は複数の設定項目Ｂ１のうち、共有許否フラグが共有許可を示している設定項目Ｂ１のみを表示部１２に表示させてもよい。もしくは、情報処理装置１Ｂの制御部１５は、保存情報Ｄ２に含まれる一又は複数の設定項目Ｂ１を、共有が許可されているか否かを判別可能な表示態様で表示部１２に表示させてもよい。なお、情報処理装置１Ｂを使用するユーザーがユーザーＡである場合は、共有許否フラグの値に関わらず、保存情報Ｄ２に含まれる全ての設定項目Ｂ１を表示部１２に表示させてもよい。
【００５７】
以上のように、本実施形態に係る情報処理装置１では、第１プリンタードライバーのデフォルト設定情報に含まれる複数の設定項目の中からユーザー操作に応じて一又は複数の移行対象項目が選択される。そして、選択された移行対象項目の設定値が前記第１プリンタードライバーとは異なる第２プリンタードライバーのデフォルト設定情報として設定される。よって、本実施形態に係る情報処理装置１によれば、プリンタードライバーに対するデフォルト設定情報の設定操作の手間を軽減することが可能である。
【００５８】
［変形例］
なお、本実施形態では、第１プリンタードライバーのデフォルト設定情報に基づいて第２プリンタードライバーのデフォルト設定情報が設定されるが、他の実施形態では、サーバー装置３に保存されている第１プリンタードライバーに対応する保存情報Ｄ２に基づいて、情報処理装置１にインストールされている第１プリンタードライバーのデフォルト設定情報が更新されてもよい。これにより、例えば、第１プリンタードライバーのデフォルト設定情報が保存情報Ｄ２としてサーバー装置３に保存された後に前記第１プリンタードライバーのデフォルト設定情報が変更された場合に、ユーザーは、サーバー装置３に保存されている保存情報Ｄ２に基づいて前記第１プリンタードライバーのデフォルト設定情報を変更前の状態に戻すことができる。
【００５９】
なお、本実施形態では、前記設定処理において第１プリンタードライバーのデフォルト設定情報が第２プリンタードライバーに移行されるが、他の実施形態では、第１プリンタードライバーのデフォルト設定情報に加えて、デフォルト設定情報以外の任意の設定情報（例えば、ユーザーごとのプロファイル情報、ユーザーごとのお気に入り設定情報など）が第２プリンタードライバーに移行されてもよい。
【符号の説明】
【００６０】
１  情報処理装置
１１  操作部
１２  表示部
１３  通信Ｉ／Ｆ
１４  記憶部
１５  制御部
１５１  取得処理部
１５２  表示処理部
１５３  選択処理部
１５４  設定処理部
２  画像形成装置
３  サーバー装置
１００  画像形成システム
【図１】
2020027513.tif 000003
【図２】
2020027513.tif 000004
【図３】
2020027513.tif 000005
【図４】
2020027513.tif 000006
【図５】
2020027513.tif 000007
【図６】
2020027513.tif 000008
【図７】
2020027513.tif 000009
【図８】
2020027513.tif 000010
【図９】
2020027513.tif 000011
【図１０】
2020027513.tif 000012